(57)【要約】  本発明は基準信号の伝送方法と通信装置を開示する。該方法は、端末装置又はネットワーク装置によって実行されてもよく、基準信号を伝送するための少なくとも一つの時間領域リソースユニットを確定することと、前記少なくとも一つの時間領域リソースユニットで前記基準信号を伝送することとを含む。このようにして、基準信号がデータを伝送するための時間領域リソースユニットにおける一部のサブ搬送波を多重化して伝送されることなく、特定した該少なくとも一つの時間領域リソースユニットで伝送されるため、基準信号伝送の遅延を減らし、それによって該基準信号に基づくデータ復調又はＣＳＩ測定の遅延を減らし、同時にレートマッチングリソースを示すための制御シグナリングオーバーヘッドとレートマッチングの複雑さを低減する。
2020504484.tif 000002
【特許請求の範囲】
【請求項１】
基準信号の伝送方法であって、
基準信号を伝送するための少なくとも一つの時間領域リソースユニットを確定することと、
前記少なくとも一つの時間領域リソースユニットで、前記基準信号を伝送することとを含む、前記基準信号の伝送方法。
【請求項２】
前記少なくとも一つの時間領域リソースユニットは制御情報及び／又はデータを伝送することに用いられないことを特徴とする
請求項１に記載の方法。
【請求項３】
前記方法が端末装置によって実行され、前記少なくとも一つの時間領域リソースユニットのリソース情報を確定することは、
前記端末装置がネットワーク装置から送信された、上位層シグナリングに含まれるリソース情報、又はダウンリンク制御情報（ＤＣＩ）に含まれる前記リソース情報を受信し、ここで、前記リソース情報が前記少なくとも一つの時間領域リソースユニットの位置、及び／又は前記少なくとも一つの時間領域リソースユニットの数を含むことを含むことを特徴とする
請求項１又は２に記載の方法。
【請求項４】
前記方法がネットワーク装置によって実行され、前記少なくとも一つの時間領域リソースユニットのリソース情報を確定した後、前記方法はさらに、
前記ネットワーク装置が端末装置へ上位層シグナリングに含まれるリソース情報、又はＤＣＩに含まれる前記リソース情報を送信し、前記リソース情報が前記少なくとも一つの時間領域リソースユニットの位置、及び／又は前記少なくとも一つの時間領域リソースユニットの数を含むことを含むことを特徴とする
請求項１又は２に記載の方法。
【請求項５】
前記少なくとも一つの時間領域リソースユニットが属するタイムスロット又はサブフレームはさらに制御情報及び／又はデータを伝送することに用いられることを特徴とする
請求項１−４のいずれか一項に記載の方法。
【請求項６】
基準信号を伝送するための少なくとも一つの時間領域リソースユニットを確定することは、
前記制御情報を伝送するための時間領域リソースユニットの位置、及び／又は前記データを伝送するための時間領域リソースユニットの位置に基づき、前記少なくとも一つの時間領域リソースユニットの位置を確定することを含むことを特徴とする
請求項５に記載の方法。
【請求項７】
前記少なくとも一つの時間領域リソースユニットは前記制御情報を伝送するための時間領域リソースユニットの前に位置し、又は
前記少なくとも一つの時間領域リソースユニットは前記データを伝送するための時間領域リソースユニットの前に位置し、又は
前記少なくとも一つの時間領域リソースユニットは前記制御情報を伝送するための時間領域リソースユニットの後に位置し、且つ前記データを伝送するための時間領域リソースユニットの前に位置し、又は
前記少なくとも一つの時間領域リソースユニットはそれが属する前記タイムスロット又は前記サブフレームの開始位置に位置することを特徴とする
請求項５又は６に記載の方法。
【請求項８】
前記少なくとも一つの時間領域リソースユニットのそれぞれの長さは、前記データを伝送するためのサブ搬送波間隔に基づいて確定されることを特徴とする
請求項５−７のいずれか一項に記載の方法。
【請求項９】
前記基準信号を伝送するためのサブ搬送波間隔は前記データを伝送するためのサブ搬送波間隔と異なることを特徴とする
請求項５−８のいずれか一項に記載の方法。
【請求項１０】
前記少なくとも一つの時間領域リソースユニットは複数のタイプの基準信号を伝送することに用いられ、且つ異なるタイプの基準信号に対応する伝送パラメータが異なり、前記伝送パラメータが
基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含むことを特徴とする
請求項１−９のいずれか一項に記載の方法。
【請求項１１】
前記少なくとも一つの時間領域リソースユニットは複数のタイプの基準信号を伝送することに用いられ、且つ異なるタイプの基準信号が時分割多重（ＴＤＭ）又は周波数分割多重（ＦＤＭ）方式を用いて伝送されることを特徴とする
請求項１−１０のいずれか一項に記載の方法。
【請求項１２】
前記時間領域リソースユニットは直交周波数分割多重（ＯＦＤＭ）シンボルであることを特徴とする
請求項１−１１のいずれか一項に記載の方法。
【請求項１３】
前記基準信号は、
チャネル状態情報基準信号（ＣＳＩ−ＲＳ）、復調基準信号（ＤＭＲＳ）、サウンディング基準信号（ＳＲＳ）、位相追跡基準信号（ＰＴＳＲ）とビーム基準信号（ＢＲＳ）のうちの少なくとも一つであることを特徴とする
請求項１−１２のいずれか一項に記載の方法。
【請求項１４】
通信装置であって、
基準信号を伝送するための少なくとも一つの時間領域リソースユニットを確定するように構成される確定ユニットと、
前記確定ユニットによって確定された前記少なくとも一つの時間領域リソースユニットで、前記基準信号を伝送するように構成される伝送ユニットとを備える、前記通信装置。
【請求項１５】
前記少なくとも一つの時間領域リソースユニットは制御情報及び／又はデータを伝送することに用いられないことを特徴とする
請求項１４に記載の通信装置。
【請求項１６】
前記通信装置が端末装置であり、前記伝送ユニットはさらに、
ネットワーク装置から送信された、上位層シグナリングに含まれるリソース情報、又はダウンリンク制御情報（ＤＣＩ）に含まれる前記リソース情報を受信するように構成され、ここで、前記リソース情報が前記少なくとも一つの時間領域リソースユニットの位置、及び／又は前記少なくとも一つの時間領域リソースユニットの数を含むことを特徴とする
請求項１４又は１５に記載の通信装置。
【請求項１７】
前記通信装置がネットワーク装置であり、前記伝送ユニットはさらに、
前記少なくとも一つの時間領域リソースユニットのリソース情報を確定した後、端末装置へ上位層シグナリングに含まれるリソース情報、又はＤＣＩに含まれる前記リソース情報を送信するように構成され、前記リソース情報が前記少なくとも一つの時間領域リソースユニットの位置、及び／又は前記少なくとも一つの時間領域リソースユニットの数を含むことを特徴とする
請求項１４又は１５に記載の通信装置。
【請求項１８】
前記少なくとも一つの時間領域リソースユニットが属するタイムスロット又はサブフレームはさらに制御情報及び／又はデータを伝送することに用いられることを特徴とする
請求項１４−１７のいずれか一項に記載の通信装置。
【請求項１９】
前記測定ユニットは具体的に、
前記制御情報を伝送するための時間領域リソースユニットの位置、及び／又は前記データを伝送するための時間領域リソースユニットの位置に基づき、前記少なくとも一つの時間領域リソースユニットの位置を確定するように構成されることを特徴とする
請求項１８に記載の通信装置。
【請求項２０】
前記少なくとも一つの時間領域リソースユニットは前記制御情報を伝送するための時間領域リソースユニットの前に位置し、又は
前記少なくとも一つの時間領域リソースユニットは前記データを伝送するための時間領域リソースユニットの前に位置し、又は
前記少なくとも一つの時間領域リソースユニットは前記制御情報を伝送するための時間領域リソースユニットの後に位置し、且つ前記データを伝送するための時間領域リソースユニットの前に位置し、又は
前記少なくとも一つの時間領域リソースユニットはそれが属する前記タイムスロット又は前記サブフレームの開始位置に位置することを特徴とする
請求項１８又は１９に記載の通信装置。
【請求項２１】
前記少なくとも一つの時間領域リソースユニットのそれぞれの長さは、前記データを伝送するためのサブ搬送波間隔に基づいて確定されることを特徴とする
請求項１８−２０のいずれか一項に記載の通信装置。
【請求項２２】
前記基準信号を伝送するためのサブ搬送波間隔は前記データを伝送するためのサブ搬送波間隔と異なることを特徴とする
請求項１８−２１のいずれか一項に記載の通信装置。
【請求項２３】
前記少なくとも一つの時間領域リソースユニットは複数のタイプの基準信号を伝送することに用いられ、且つ異なるタイプの基準信号に対応する伝送パラメータが異なり、前記伝送パラメータが
基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含むことを特徴とする
請求項１４−２２のいずれか一項に記載の通信装置。
【請求項２４】
前記少なくとも一つの時間領域リソースユニットは複数のタイプの基準信号を伝送することに用いられ、且つ異なるタイプの基準信号が時分割多重（ＴＤＭ）又は周波数分割多重（ＦＤＭ）方式を用いて伝送されることを特徴とする
請求項１４−２３のいずれか一項に記載の通信装置。
【請求項２５】
前記時間領域リソースユニットは直交周波数分割多重（ＯＦＤＭ）シンボルであることを特徴とする
請求項１４−２４のいずれか一項に記載の通信装置。
【請求項２６】
前記基準信号は、チャネル状態情報基準信号（ＣＳＩ−ＲＳ）、復調基準信号（ＤＭＲＳ）、サウンディング基準信号（ＳＲＳ）、位相追跡基準信号（ＰＴＳＲ）とビーム基準信号（ＢＲＳ）のうちの少なくとも一つであることを特徴とする
請求項１４−２５のいずれか一項に記載の通信装置。
【発明の詳細な説明】
【技術分野】
【０００１】
本発明の実施例は無線通信分野に関し、且つより具体的には、アップリンクデータ伝送方法と通信装置に関する。
【背景技術】
【０００２】
長期進化型（Ｌｏｎｇ  Ｔｅｒｍ  Ｅｖｏｌｕｔｉｏｎ：「ＬＴＥ」と略称）システムでは、ダウンリンク基準信号とダウンリンクデータに対して一般的に周波数分割多重（Ｆｒｅｑｕｅｎｃｙ  Ｄｉｖｉｓｉｏｎ  Ｍｕｌｔｉｐｌｅｘｉｎｇ：「ＦＤＭ」と略称）を用い、基準信号がデータのシンボルを伝送するための一部のサブ搬送波で伝送される。このようにして、端末装置が複数の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）のシンボルを受信した後にしか該基準信号を検出することができないため、該基準信号に基づくデータ復調又はチャネル状態情報（Ｃｈａｎｎｅｌ  Ｓｔａｔｅ  Ｉｎｆｏｒｍａｔｉｏｎ：「ＣＳＩ」と略称）の測定が大きく遅延される。
【発明の概要】
【発明が解決しようとする課題】
【０００３】
本発明の実施例は基準信号伝送の遅延を減らすことができる、基準信号の伝送方法と通信装置を提供する。
【課題を解決するための手段】
【０００４】
第一の態様による基準信号の伝送方法は、端末装置又はネットワーク装置によって実行されてもよく、基準信号を伝送するための少なくとも一つの時間領域リソースユニットを確定することと、前記少なくとも一つの時間領域リソースユニットで前記基準信号を伝送することとを含むことを特徴とする。
【０００５】
このようにして、基準信号がデータを伝送するための時間領域リソースユニットにおける一部のサブ搬送波を多重化して伝送されることなく、特定した該少なくとも一つの時間領域リソースユニットで伝送されるため、基準信号伝送の遅延を減らし、それによって該基準信号に基づくデータ復調又はＣＳＩ測定の遅延を減らし、同時にレートマッチングリソースを示すための制御シグナリングオーバーヘッドとレートマッチングの複雑さを低減する。
【０００６】
選択可能に、第一の態様の一つの実施形態では、前記少なくとも一つの時間領域リソースユニットは制御情報及び／又はデータを伝送することに用いられない。
【０００７】
理解すべきものとして、異なる基準信号の伝送周期が異なる場合、いくつかの時点において、一つのタイムスロット又はサブフレームに一つのタイプの基準信号だけがあり得、別のいくつかの時点において複数のタイプの基準信号がある可能性がある。一つのタイムスロット又はサブフレームにおいて基準信号を伝送するための少なくとも一つの時間領域伝送ユニットに一つのタイプのパイロット信号、例えばＤＭＲＳだけがある場合、予約された、他のタイプの基準信号を伝送するためのリソースはデータ及び／又は制御情報を伝送することに用いられることができなく、他の端末装置の他のタイプの基準信号を伝送することに用いられてもよい。
【０００８】
また、理解すべきものとして、該実施例では、前記方法が端末装置によって実行されてもよい。この場合、前記少なくとも一つの時間領域リソースユニットで基準信号を伝送する端末装置は該少なくとも一つの時間領域リソースユニットで該端末装置の制御情報及び／又はデータを伝送しない。
【０００９】
前記方法がさらにネットワーク装置によって実行され、この場合、該少なくとも一つの時間領域リソースユニットが制御情報及び／又はデータを伝送することに用いられなく、基準信号の伝送のみに用いられ、又は、ネットワーク装置は、ある端末装置と該少なくとも一つの時間領域リソースユニットで該端末装置の基準信号を伝送することができ、該少なくとも一つの時間領域リソースユニットにおける、該端末装置の基準信号を伝送しないリソース位置で、他の端末装置と制御情報及び／又はデータの伝送を行うこともできる。
【００１０】
選択可能に、第一の態様の一つの実施形態では、前記方法が端末装置によって実行され、前記少なくとも一つの時間領域リソースユニットのリソース情報を確定することは、前記端末装置がネットワーク装置から送信された、上位層シグナリングに含まれるリソース情報、又はダウンリンク制御情報（ＤＣＩ）に含まれる前記リソース情報を受信し、ここで、前記リソース情報が前記少なくとも一つの時間領域リソースユニットの位置、及び／又は前記少なくとも一つの時間領域リソースユニットの数を含むことを含む。
【００１１】
選択可能に、第一の態様の一つの実施形態では、前記方法がネットワーク装置によって実行され、前記少なくとも一つの時間領域リソースユニットのリソース情報を確定した後、前記方法はさらに前記ネットワーク装置が端末装置へ上位層シグナリングに含まれるリソース情報、又はＤＣＩに含まれる前記リソース情報を送信し、前記リソース情報が前記少なくとも一つの時間領域リソースユニットの位置、及び／又は前記少なくとも一つの時間領域リソースユニットの数を含むことを含む。
【００１２】
例えば、ネットワーク装置はブロードキャスト方式により、ブロードキャスト情報に該少なくとも一つの時間領域リソースユニットのリソース情報を含ませ、又は該基準信号を伝送するためのタイムスロットにおいて、制御情報を伝送するための先頭のＮ個のＯＦＤＭシンボルで送信されたＤＣＩにより、該少なくとも一つの時間領域リソースユニットのリソース情報を示すことができる。
【００１３】
選択可能に、該少なくとも一つの時間領域リソースユニットは端末装置とネットワーク装置によって予め定められてもよい。
【００１４】
選択可能に、第一の態様の一つの実施形態では、前記少なくとも一つの時間領域リソースユニットが属するタイムスロット又はサブフレームはさらに制御情報及び／又はデータを伝送することに用いられる。
【００１５】
選択可能に、第一の態様の一つの実施形態では、基準信号を伝送するための少なくとも一つの時間領域リソースユニットを確定することは、前記制御情報を伝送するための時間領域リソースユニットの位置、及び／又は前記データを伝送するための時間領域リソースユニットの位置に基づき、前記少なくとも一つの時間領域リソースユニットの位置を確定することを含む。
【００１６】
例えば、該基準信号を伝送するための少なくとも一つの時間領域リソースユニットは、該制御情報に占有された時間領域リソースユニットの後に位置するＮ個の時間領域リソースユニットであってもよく、即ちＮが該基準信号を伝送するための少なくとも一つの時間領域リソースユニットの数であり、Ｎの値が上記のいずれかの方法を用いて確定されてもよく、例えばネットワーク装置によって送信された、上位層シグナリング又はＤＣＩに含まれる少なくとも一つの時間領域リソースユニットの数であってもよい。当然、該基準信号の属するタイムスロット又はサブフレームにおいて制御情報を伝送するための時間領域リソースユニットがない場合、該基準信号を伝送するための少なくとも一つの時間領域ユニットは該タイムスロット又は該サブフレームにおける先頭のＮ個の時間領域リソースユニットである。
【００１７】
選択可能に、第一の態様の一つの実施形態では、前記少なくとも一つの時間領域リソースユニットは前記制御情報を伝送するための時間領域リソースユニットの前に位置し、又は前記少なくとも一つの時間領域リソースユニットは前記データを伝送するための時間領域リソースユニットの前に位置し、又は前記少なくとも一つの時間領域リソースユニットは前記制御情報を伝送するための時間領域リソースユニットの後に位置し、且つ前記データを伝送するための時間領域リソースユニットの前に位置し、又は前記少なくとも一つの時間領域リソースユニットはそれが属する前記タイムスロット又は前記サブフレームの開始位置に位置する。
【００１８】
このようにして、データ復調などのデータ処理プロセスを行う前に、基準信号をできるだけ早く受信することができ、基準信号伝送の遅延を回避する。
【００１９】
選択可能に、第一の態様の一つの実施形態では、前記少なくとも一つの時間領域リソースユニットのそれぞれの長さは、前記データを伝送するためのサブ搬送波間隔に基づいて確定される。
【００２０】
選択可能に、第一の態様の一つの実施形態では、前記基準信号を伝送するためのサブ搬送波間隔は前記データを伝送するためのサブ搬送波間隔と異なる。
【００２１】
選択可能に、第一の態様の一つの実施形態では、前記少なくとも一つの時間領域リソースユニットは複数のタイプの基準信号を伝送することに用いられ、且つ異なるタイプの基準信号に対応する伝送パラメータが異なり、前記伝送パラメータが基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含む。
【００２２】
具体的には、端末装置とネットワーク装置は該少なくとも一つの時間領域リソースユニットで複数のタイプの基準信号を伝送することができ、且つ異なるサブ搬送波間隔を用いて異なるタイプの基準信号を伝送することができる。端末装置とネットワーク装置は異なる伝送帯域幅を用いて異なるタイプの基準信号を用いることもできる。端末装置とネットワーク装置はさらに異なるプリコーディング行列を用いて異なるタイプの基準信号をプリコーディングし、又は異なるビームを用いて異なるタイプの基準信号を用いてビームフォーミングを行うことができる。
【００２３】
選択可能に、第一の態様の一つの実施形態では、該少なくとも一つの時間領域リソースユニットは複数のタイプの基準信号を伝送することに用いられ、且つ異なるタイプの基準信号が時分割多重（ＴＤＭ）又は周波数分割多重（ＦＤＭ）方式を用いて伝送される。
【００２４】
選択可能に、第一の態様の一つの実施形態では、前記時間領域リソースユニットは直交周波数分割多重（ＯＦＤＭ）シンボルである。
【００２５】
選択可能に、第一の態様の一つの実施形態では、前記基準信号はチャネル状態情報基準信号（ＣＳＩ−ＲＳ）、復調基準信号（ＤＭＲＳ）、サウンディング基準信号（ＳＲＳ）、位相追跡基準信号（ＰＴＳＲ）とビーム基準信号（ＢＲＳ）のうちの少なくとも一つである。
【００２６】
第二の態様による通信装置は、前記第一の態様及び様々な実施形態における基準信号の伝送方法の端末装置又はネットワーク装置によって実行される各プロセスを実行することに用いられてもよい。該通信装置は、基準信号を伝送するための少なくとも一つの時間領域リソースユニットを確定するように構成される確定ユニットと、前記確定ユニットによって確定された前記少なくとも一つの時間領域リソースユニットで前記基準信号を伝送するように構成される伝送ユニットとを備える。
【００２７】
第三の態様による通信装置は、前記第一の態様及び様々な実施形態における基準信号の伝送方法の端末装置又はネットワーク装置によって実行される各プロセスを実行することに用いられてもよい。該通信装置はプロセッサと送受信機を備える。前記プロセッサは基準信号を伝送するための少なくとも一つの時間領域リソースユニットを確定するように構成され、前記送受信機は前記プロセッサによって確定された前記少なくとも一つの時間領域リソースユニットで前記基準信号を伝送するように構成される。
【００２８】
第四の態様によるコンピュータ可読記憶媒体は、端末装置又はネットワーク装置に上記第一の態様、及びその様々な実施形態のいずれかの基準信号の伝送方法を実行させるためのプログラムを記憶する。
【００２９】
本発明の実施例による基準信号の伝送方法では、基準信号を全て先頭の特定したＯＦＤＭシンボルで伝送することにより、基準信号伝送の遅延を減らし、データ復調又はＣＳＩ測定の遅延を減らすことができ、同時にレートマッチングリソースを示すための制御シグナリングオーバーヘッドとレートマッチングの複雑さを低減することもできる。
【図面の簡単な説明】
【００３０】
【図１】本発明の実施例の一つの応用シーンを示す概略アーキテクチャ図である。
【図２】本発明の実施例による基準信号の伝送方法のプロセスインタラクション図である。
【図３】本発明の実施例による基準信号の伝送方法のプロセスインタラクション図である。
【図４（ａ）】本発明の実施例による基準信号を伝送するための時間領域リソースユニットの概略図である。
【図４（ｂ）】本発明の実施例による基準信号を伝送するための時間領域リソースユニットの概略図である。
【図４（ｃ）】本発明の実施例による基準信号を伝送するための時間領域リソースユニットの概略図である。
【図４（ｄ）】本発明の実施例による基準信号を伝送するための時間領域リソースユニットの概略図である。
【図４（ｅ）】本発明の実施例による基準信号を伝送するための時間領域リソースユニットの概略図である。
【図５】本発明の実施例による通信装置の構造ブロック図である。
【図６】本発明の実施例による通信装置の構造ブロック図である。
【図７】本発明の実施例によるシステムチップの概略構造図である。
【発明を実施するための形態】
【００３１】
以下に図面を組み合わせながら本発明の実施例における技術的解決策を説明する。
【００３２】
理解すべきものとして、本発明の実施例の技術的解決策は様々な通信システム、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、及び将来の５Ｇ通信システムなどに応用されてもよい。
【００３３】
本発明は端末装置と組み合わせて各実施例を説明する。端末装置はユーザ装置（Ｕｓｅｒ  Ｅｑｕｉｐｍｅｎｔ：「ＵＥ」と略称）、アクセス端末、加入者ユニット、加入者局、移動局、移動ステーション、遠隔局、遠隔端末、移動装置、ユーザ端末、端末、無線通信装置、ユーザエージェント又はユーザ装置を指すこともできる。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）サイト、パーソナルデジタル処理（Ｐｅｒｓｏｎａｌ  Ｄｉｇｉｔａｌ  Ａｓｓｉｓｔａｎｔ：「ＰＤＡ」と略称）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００３４】
本発明はネットワーク装置と組み合わせて各実施例を説明する。ネットワーク装置は端末装置と通信するための装置であってもよく、例えばＧＳＭシステム又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。
【００３５】
本発明の実施例では、基準信号はパイロット信号とも呼ばれる。
【００３６】
図１は本発明の一つの応用シーンを示す概略図である。図１における通信システムはネットワーク装置１０と端末装置２０を備えることができる。ネットワーク装置１０は端末装置２０に通信サービスを提供することに用いられ且つコアネットワークにアクセスし、端末装置２０はネットワーク装置１０から送信された同期信号、ブロードキャスト信号などをサーチしてネットワークにアクセスし、それによってネットワークとの通信を行う。図１に示す矢印は端末装置２０とネットワーク装置１０の間のセルラーリンクによるアップリンク／ダウンリンク送信を表すことができる。
【００３７】
本発明の実施例におけるネットワークは公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）又はデバイスツデバイス（Ｄｅｖｉｃｅ  ｔｏ  Ｄｅｖｉｃｅ：「Ｄ２Ｄ」と略称）ネットワーク又はマシンツマシン／マン（Ｍａｃｈｉｎｅ  ｔｏ  Ｍａｃｈｉｎｅ／Ｍａｎ：「Ｍ２Ｍ」と略称）ネットワーク又は他のネットワークを指すことができ、図１は例の概略図であるだけであるが、ネットワークにおいて他の端末装置が含まれてもよく、図１に示されない。
【００３８】
図２は本発明の実施例による基準信号の伝送方法のプロセスインターラクション図である。図２にネットワーク装置と端末装置が示され、該ネットワーク装置は例えば図１に示すネットワーク装置１０であってもよく、該端末装置は例えば図１に示す端末装置２０であってもよい。本発明の実施例では、基準信号はいずれも特定した直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）で多重化されて伝送され、該特定したＯＦＤＭシンボルが基準信号伝送専用のＦＤＭシンボルであり、それによって基準信号をタイムリーに受信し、該基準信号に基づくデータ復調又はＣＳＩ測定の遅延を減らすことができ、同時にレートマッチング（ｒａｔｅ−ｍａｔｃｈｉｎｇ）リソースを示す制御シグナリングオーバーヘッドとレートマッチングの複雑さを低減することもできる。図２に示すように、パラメータ信号を伝送する具体的なプロセスは２１０〜２６０を含む。
【００３９】
２１０において、ネットワーク装置は基準信号を伝送するための少なくとも一つの時間領域リソースユニットを確定する。
【００４０】
具体的には、ネットワーク装置は端末装置と基準信号の伝送を行う前に、該基準信号を伝送するための少なくとも一つの時間領域リソースユニットを確定し、そして該少なくとも一つの時間領域リソースユニットで端末装置へ該基準信号を送信し、又は該少なくとも一つの時間領域リソースユニットで端末装置から送信された基準信号を受信する。
【００４１】
２２０において、端末装置は基準信号を伝送するための少なくとも一つの時間領域リソースユニットを確定する。
【００４２】
同様に、端末装置はネットワーク装置と基準信号の伝送を行う前に、該基準信号を伝送するための少なくとも一つの時間領域リソースユニットを確定し、そして該少なくとも一つの時間領域リソースユニットでネットワーク装置から送信された該基準信号を受信し又はネットワーク装置へ該基準信号を送信する。
【００４３】
ここで、該少なくとも一つの時間領域リソースユニットは基準信号を伝送するための時間領域リソースユニットであり、少なくとも一つのタイプの基準信号を伝送することに用いられてもよい。即ち、該少なくとも一つの時間領域リソースユニットは該基準信号を伝送することに用いられてもよく、該基準信号以外の他のタイプの基準信号を伝送することに用いられてもよい。
【００４４】
これに対して、基準信号がデータを伝送するための時間領域リソースユニットにおける一部のサブ搬送波を多重化して伝送されることなく、特定した該少なくとも一つの時間領域リソースユニットで伝送されるため、基準信号伝送の遅延を減らし、それによって該基準信号に基づくデータ復調又はＣＳＩ測定の遅延を減らし、同時にレートマッチングリソースを示すための制御シグナリングオーバーヘッドとレートマッチングの複雑さを低減する。
【００４５】
ここで、前記基準信号は該端末装置自体の基準信号であってもよく、他の端末装置の基準信号であってもよい。したがって、前記少なくとも一つの時間領域リソースユニットは基準信号を伝送するために該端末装置よって用いられる時間周波数リソースユニットを含むことができ、基準信号を伝送するために他の端末装置に予約された時間領域リソースユニットを含むこともできる。
【００４６】
選択可能に、該時間領域リソースユニットは直交周波数分割多重（ＯＦＤＭ）シンボルである。
【００４７】
理解すべきものとして、該時間領域リソースユニットはミニタイムスロット（ｍｉｎｉ−ｓｌｏｔ）、タイムスロット（ｓｌｏｔ）又は５システムで定義された他の時間領域リソースユニットであってもよい。本発明はこれに対していかなる限定を行わない。
【００４８】
選択可能に、本発明の実施例における基準信号は、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：「ＣＳＩ−ＲＳ」と略称）、復調基準信号（Ｄｅ  Ｍｏｄｕｌａｔｉｏｎ  Ｒｅｆｅｒｅｎｃｅ  Ｓｉｇｎａｌ：「ＤＭＲＳ」と略称）、サウンディング基準信号（Ｓｏｕｎｄｉｎｇ  Ｒｅｆｅｒｅｎｃｅ  Ｓｉｇｎａｌ：「ＳＲＳ」と略称）、位相追跡基準信号（Ｐｈａｓｅ  Ｔｒａｃｋｉｎｇ  Ｒｅｆｅｒｅｎｃｅ  Ｓｉｇｎａｌ：「ＰＴＳＲ」と略称）とビーム基準信号（Ｂｅａｍ−ｓｐｅｃｉｆｉｃ  Ｒｅｆｅｒｅｎｃｅ  Ｓｉｇｎａｌ：「ＢＲＳ」と略称）のうちの少なくとも一つを含むことができる。
【００４９】
また、理解すべきものとして、本発明の実施例では、基準信号の伝送は端末装置がネットワーク装置へ基準信号を送信すること、即ちアップリンク基準信号の伝送であってもよく、ネットワーク装置が端末装置へ基準信号を送信すること、即ちダウンリンク基準信号の伝送であってもよい。
【００５０】
選択可能に、基準信号を伝送するための少なくとも一つの時間領域リソースユニットは制御情報及び／又はデータを伝送することに用いられない。
【００５１】
理解すべきものとして、該実施例では、前記方法が端末装置によって実行されてもよいため、前記少なくとも一つの時間領域リソースユニットで基準信号を伝送する端末装置は該少なくとも一つの時間領域リソースユニットで該端末装置の制御情報及び／又はデータを伝送しない。
【００５２】
前記方法がさらにネットワーク装置によって実行されてもく、この場合、該少なくとも一つの時間領域リソースユニットが制御情報及び／又はデータを伝送することに用いられなく、基準信号の伝送のみに用いられ、又は、ネットワーク装置は該少なくとも一つの時間領域リソースユニットである端末装置と該端末装置の基準信号を伝送し、そして該少なくとも一つの時間領域リソースユニットにおける、該端末装置の基準信号を伝送しないリソース位置で、他の端末装置と制御情報及び／又はデータの伝送を行うこともできる。
【００５３】
例えば、該端末装置は、該時間領域リソースユニット内の全ての物理リソースがデータ伝送に用いられないと仮定する。端末装置はデータのリソースマッピングを行う時に、該少なくとも一つの時間領域リソースユニット内の全ての物理リソースに対してレートマッチングを行う必要がある。例えば、基準信号を伝送するための時間領域リソースユニットが一つのタイムスロットにおける３番目のＯＦＤＭシンボルであり、且つ先頭の２つのＯＦＤＭシンボルが制御情報を伝送することに用いられる場合、データに対して４番目のＯＦＤＭシンボルのみからリソースマッピングを行うことができる。
【００５４】
該端末装置は、該時間領域リソースユニット内の全ての物理リソースが制御情報に用いられないと仮定することもできる。ネットワーク装置は制御情報の物理リソース割り当てを行う時に、端末装置が制御情報を伝送するための該少なくとも一つの時間領域リソースユニットを端末装置に配置することができない。例えば、基準信号を伝送するための時間領域リソースユニットが１つのＯＦＤＭシンボルを含み、該制御情報を伝送するために２つのＯＦＤＭシンボルを用いる必要がある場合、基準信号は一つのタイムスロットの１番目のＯＦＤＭシンボルで伝送されてもよく、制御情報は該タイムスロットの２番目のＯＦＤＭシンボルと３番目のシンボルＯＦＤＭで伝送され、又は制御情報は一つのタイムスロットの１番目のＯＦＤＭシンボルと２番目のＯＦＤＭシンボルで伝送されてもよく、基準信号は該タイムスロットの３番目のＯＦＤＭシンボルで伝送される。
【００５５】
異なる基準信号の伝送周期が異なる場合、いくつかの時点において、一つのタイムスロット又はサブフレームに一つのタイプの基準信号だけがあり、別のいくつかの時点において複数のタイプの基準信号がある可能性がある。一つのタイムスロット又はサブフレームにおいて基準信号を伝送するための少なくとも一つの時間領域伝送ユニットに一つのタイプのパイロット信号例えばＤＭＲＳだけがある場合、予約された、他のタイプの基準信号を伝送するためのリソースはデータ及び／又は制御情報を伝送することに用いられなく、他の端末装置の他のタイプの基準信号を伝送することに用いられてもよい。
【００５６】
２１０と２２０において、該少なくとも一つの時間領域リソースユニットは端末装置とネットワーク装置によって予め定められてもよい。端末装置とネットワーク装置は定められた少なくとも一つの時間領域リソースユニットで基準信号の伝送を直接行うことができる。例えば、一つのタイムスロットで制御情報を伝送する必要があり、該タイムスロットの３番目のＯＦＤＭシンボルが基準信号を伝送することに用いられる場合、該タイムスロットにおける１番目のＯＦＤＭシンボルが基準信号を伝送することに用いられることはプロトコルにおいて定められてもよい。
【００５７】
基準信号を伝送するための該少なくとも一つの時間領域リソースユニットはネットワーク装置によって確定されて端末装置に通知されてもよい。ネットワーク装置はそれ自体で該少なくとも一つの時間領域リソースユニットを確定し、配置された該少なくとも一つの時間領域リソースユニットのリソース情報を端末装置に送信することができ、それによって端末装置は受信された該リソース情報から、基準信号を伝送するための該少なくとも一つの時間領域リソースユニットを取得することができる。
【００５８】
例えば図３に示す本発明の実施例による基準信号の伝送方法では、端末装置はネットワーク装置から送信された該少なくとも一つの時間領域リソースユニットのリソース情報を受信することにより、該少なくとも一つの時間領域リソースユニットの位置及び／又は数を確定することができる。即ち２２０の前に該方法は２２１と２２２を含むことができ、且つ２２０が２２３に置き換えられてもよい。
【００５９】
２２１において、ネットワーク装置は端末装置へ該少なくとも一つの時間領域リソースユニットのリソース情報を送信する。
【００６０】
ここで、該リソース情報は該少なくとも一つの時間領域リソースユニットの位置、及び／又は該少なくとも一つのリソースユニットの数を含む。
【００６１】
２２２において、端末装置はネットワーク装置から送信された該リソース情報を受信する。
【００６２】
２２３において、端末装置は該リソース情報に基づき、基準信号を伝送するための該少なくとも一つの時間領域リソースユニットを確定する。
【００６３】
選択可能に、ネットワーク装置は端末装置へ上位層シグナリングに含まれる該リソース情報を送信することができ、それによって端末装置はネットワーク装置から送信された、上位層シグナリングに含まれるリソース情報を受信し、該上位層シグナリングに基づいて基準信号の伝送のための少なくとも一つの時間領域リソースユニットを確定することができる。例えば、ネットワーク装置はブロードキャスト方式により、ブロードキャスト情報に該少なくとも一つの時間領域リソースユニットのリソース情報を含ませることができる。
【００６４】
選択可能に、ネットワーク装置は端末装置へ下位層制御情報（Ｄｏｗｎｌｉｎｋ  Ｃｏｎｔｒｏｌ  Ｉｎｆｏｒｍａｔｉｏｎ：「ＤＣＩ」と略称）に含まれる該リソース情報を送信することができ、それによって端末装置はネットワーク装置から送信された、ＤＣＩに含まれるリソース情報を受信した後、該ＤＣＩに基づいて基準信号の伝送のための少なくとも一つの時間領域リソースユニットを確定することができる。
【００６５】
例えば、該基準信号を伝送するためのタイムスロットにおいて、制御情報を伝送するための先頭のＮ個のＯＦＤＭシンボルで送信されたＤＣＩにより、該少なくとも一つの時間領域リソースユニットのリソース情報を示す。
【００６６】
選択可能に、該少なくとも一つの時間領域リソースユニットが属するタイムスロット又はサブフレームはさらに制御情報及び／又はデータを伝送することに用いられる。
【００６７】
例えば、端末装置は該少なくとも一つの時間領域リソースユニットの属するタイムスロット又はサブフレームにおける他の時間領域リソースユニットで、該端末装置の制御情報及び／又はデータを伝送することができ、ネットワーク装置は該少なくとも一つの時間領域リソースユニットの属するタイムスロット又はサブフレームにおける他の時間領域リソースユニットで、該端末装置又は他の端末装置と制御情報及び／又はデータの伝送を行うこともできる。該少なくとも一つの時間領域リソースユニットがそれの属するタイムスロットにおいて占有したＯＦＤＭシンボルが３番目のＯＦＤＭシンボルであると仮定する場合、該タイムスロットの１番目のＯＦＤＭシンボルと２番目のＯＦＤＭシンボルは制御情報を伝送することに用いられてもよく、該タイムスロットの４番目のＯＦＤＭシンボル〜７番目のＯＦＤＭシンボルはデータを伝送することに用いられてもよい。
【００６８】
この時、端末装置又はネットワーク装置はそれが属するタイムスロット又はサブフレームにおける該制御情報を伝送するための時間領域リソースユニットの位置、及び／又は該データを伝送するための時間領域リソースユニットの位置に基づき、基準信号を伝送するための少なくとも一つの時間領域リソースユニットの位置を確定することもできる。
【００６９】
具体的には、該基準信号を伝送するための少なくとも一つの時間領域リソースユニットは、該制御情報に占有された時間領域リソースユニットの後に位置するＮ個の時間領域リソースユニットであってもよく、即ちＮが該基準信号を伝送するための少なくとも一つの時間領域リソースユニットの数であり、Ｎの値が上記のいずれかの方法を用いて確定されてもよく、例えばネットワーク装置によって送信された、上位層シグナリング又はＤＣＩに含まれる少なくとも一つの時間領域リソースユニットの数であってもよい。当然、該基準信号の属する該タイムスロット又は該サブフレームにおいて制御情報を伝送するための時間領域リソースユニットがない場合、該基準信号を伝送するための少なくとも一つの時間領域ユニットは該タイムスロット又は該サブフレームにおける先頭のＮ個の時間領域リソースユニットである。
【００７０】
例えば、制御情報を伝送するために一つのタイムスロットの１番目のＯＦＤＭシンボルと２番目のＯＦＤＭシンボルが占有される仮定し、且つ端末装置がネットワーク装置から送信された上位層シグナリングを受信し、又はネットワーク装置によって先頭の２つのＯＦＤＭシンボルで送信されたＤＣＩを受信することにより、該基準信号を伝送するためのＯＦＤＭシンボル数が２であることを確定する場合、端末装置は該タイムスロットの３番目と４番目のＯＦＤＭシンボルで基準信号を伝送することができる。
【００７１】
該少なくとも一つの時間領域リソースユニットの属するタイムスロット又はサブフレームがさらに制御情報及び／又はデータを伝送することに用いられる場合、該タイムスロット又は該サブフレームにおける、基準信号を伝送するための少なくとも一つの時間領域リソースユニットの位置は該制御情報を伝送するための時間領域リソースユニットの前に位置してもよく、又は該少なくとも一つの時間領域リソースユニットが該データを伝送するための時間領域リソースユニットの前に位置し、又は該少なくとも一つの時間領域リソースユニットが該制御情報を伝送するための時間領域リソースユニットの後に位置し、且つ該データを伝送するための時間領域リソースユニットの前に位置し、又は該少なくとも一つの時間領域リソースユニットがそれの属する該タイムスロット又は該サブフレームの開始位置に位置する。
【００７２】
このようにして、端末装置とネットワーク装置はデータ復調などのデータ処理プロセスを行う前に、基準信号をできるだけ早く受信することができ、基準信号伝送の遅延を回避する。
【００７３】
選択可能に、該少なくとも一つの時間領域リソースユニットのそれぞれの長さは、該基準信号が属するタイムスロット又はサブフレームにおけるデータを伝送するためのサブ搬送波間隔に基づいて確定されてもよい。即ち各時間領域リソースユニットの長さは該基準信号と同一のタイムスロット又は同一のサブフレームにおいて伝送されるデータのためのサブ搬送波間隔に基づいて確定されてもよい。
【００７４】
具体的には、サブ搬送波間隔と一つの時間領域リソースユニットの長さとの対応関係はネットワーク側と端末装置によって予め定められてもよく、又は端末装置はサブ搬送波間隔に基づいて前記一つの時間領域リソースユニットの長さを直接計算することもできる。
【００７５】
さらに、該基準信号を伝送するためのサブ搬送波間隔は、該データを伝送するためのサブ搬送波間隔と同じであってもよいし、異なってもよい。例えば、該タイムスロット又はサブフレームにおいて１５ｋＨｚのサブ搬送波間隔を用いてデータを伝送するが、６０ｋＨｚのサブ搬送波間隔を用いて基準信号を伝送することができる。この場合、１５ｋＨｚのサブ搬送波間隔を用いて確定された一つの時間領域リソースユニットの長さがＡであり、６０ｋＨｚのサブ搬送波間隔を用いて確定された一つの時間領域リソースユニットの長さがＡ／４であると仮定する場合、データのためのサブ搬送波間隔を用いて確定された一つの時間領域リソースユニットは４つの時間領域リソースユニットの基準信号を伝送することができる。この場合、この４つの時間領域リソースユニットは異なるタイプの基準信号に対する時分割多重（ＴＤＭ）伝送に用いられてもよい。
【００７６】
選択可能に、該少なくとも一つの時間領域リソースユニットは複数のタイプの基準信号を伝送することに用いられてもよく、且つ異なるタイプの基準信号に対応する伝送パラメータが異なり、該伝送パラメータが基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含む。
【００７７】
具体的には、端末装置とネットワーク装置は該少なくとも一つの時間領域リソースユニットで複数のタイプの基準信号を伝送することができ、且つ異なるサブ搬送波間隔を用いて異なるタイプの基準信号を伝送することができる。異なるタイプのパイロット信号のサブ搬送波間隔はネットワーク装置によって配置されてもよい。例えば、端末は一つのＯＦＤＭシンボルでＣＳＩ−ＲＳとＤＭＲＳを伝送し、ここでＣＳＩ−ＲＳが６０ｋＨｚのサブ搬送波間隔を用い、ＤＭＲＳが３０ｋＨｚのサブ搬送波間隔を用いる。
【００７８】
端末装置とネットワーク装置は異なる伝送帯域幅を用いて異なるタイプの基準信号を用いることもできる。例えば、ＤＭＲＳの伝送は復調するために、一般的にそれが属するタイムスロット又はサブフレームにおける該端末装置によるデータ伝送と同じ伝送帯域幅を用い、ＳＲＳ、ＰＴＳ、ＣＳＩ−ＲＳとＢＲＳなどの他の基準信号は一般的にネットワーク装置がダウンリンクシグナリングにより専門に配置した伝送帯域幅を用いる。
【００７９】
端末装置とネットワーク装置はさらに異なるプリコーディング行列を用いて異なるタイプの基準信号をプリコーディングし、又は異なるビームを用いて異なるタイプの基準信号を用いてビームフォーミングを行うことができる。例えばＤＭＲＳ伝送のためのプリコーディング行列は一般的に該端末装置が該ＤＭＲＳの属するサブフレーム又はタイムスロットにおいてデータを伝送するためのプリコーディング行列であり、又は該端末装置はデータを復調するために、該ＤＭＲＳに対して該データと同じビームを用いてフォーミングするが、ＳＲＳ、ＰＴＳ、ＣＳＩ−ＲＳとＢＲＳなどの基準信号に対して、該端末装置によって伝送された該データと異なるビームを用いてフォーミングすることができ、且つ一般的にデジタルドメインのプリコーディングを行わない（即ち単位行列がプリコーディング行列として用いられる）。
【００８０】
選択可能に、該少なくとも一つの時間領域リソースユニットは複数のタイプの基準信号を伝送することに用いられ、且つ異なるタイプの基準信号が時分割多重（ＴＤＭ）又は周波数分割多重（ＦＤＭ）方式を用いて伝送される。
【００８１】
具体的には、該少なくとも一つの時間領域リソースユニットで複数のタイプの基準信号を伝送する必要がある場合、複数の基準信号が該少なくとも一つの時間領域リソースユニットで占有した時間領域リソース及び／又は周波数領域リソースは異なる。例えば図４（ａ）に示すように、現在のタイムスロットにおいて、基準信号を伝送するための該少なくとも一つの時間領域リソースユニットは１つのＯＦＤＭシンボルを含み、該ＯＦＤＭシンボルがダウンリンクデータを伝送するための時間領域リソースユニットの前に位置し、且つ端末装置は該ＯＦＤＭシンボルで２つのタイプの基準信号即ちＣＳＩ−ＲＳとＤＭＲＳを同時に伝送することができ、ここでＣＳＩ−ＲＳとＤＭＲＳが該ＯＦＤＭシンボルにおける異なるサブ搬送波を占有する。また、例えば図４（ｂ）に示すように、該ＯＦＤＭシンボルが制御情報を伝送するための時間領域リソースユニットの後に位置し且つダウンリンクデータを伝送するための時間領域リソースユニットの前に位置し、端末装置は現在のタイムスロットにおいて１５ｋＨｚのサブ搬送波間隔を用いてデータを伝送し、該ＯＦＤＭシンボルでＴＤＭ方式を用いてＳＲＳとＤＭＲＳを伝送し、ここでＤＭＲＳとＳＲＳがいずれも３０ｋＨｚのサブ搬送波間隔を用い、それぞれ半分のＯＦＤＭシンボルを占有する。また、例えば図４（ｃ）に示すように、端末装置は現在のタイムスロットにおいて１５ｋＨｚのサブ搬送波間隔を用いてデータを伝送し、且つ該ＯＦＤＭシンボルでＴＤＭ方式を用いてＣＳＩ−ＲＳとＤＭＲＳを伝送し、ここでＤＭＲＳが３０ｋＨｚのサブ搬送波間隔を用い、ＣＳＩ−ＲＳが６０ｋＨｚの搬送波間隔を用い、ＣＳＩ−ＲＳとＤＭＲＳがそれぞれ半分のＯＦＤＭシンボルを占有し、ＣＳＩ−ＲＳに占有された半分のＯＦＤＭシンボルで２つのＣＳＩ−ＲＳサブシンボルを伝送することができる。
【００８２】
また、例えば、該ＯＦＤＭシンボルで３つのタイプの基準信号例えばＣＳＩ−ＲＳ、ＤＭＲＳとＰＴＲＳを伝送する必要がある場合、ＴＤＭとＦＤＭの方式で伝送することができ、図４（ｄ）に示すように、該ＯＦＤＭシンボルでＴＤＭ方式を用いてＣＳＩ−ＲＳとＤＭＲＳを伝送し、ＣＳＩ−ＲＳとＤＭＲＳがそれぞれ半分のＯＦＤＭシンボルを占有し、ＣＳＩ−ＲＳに占有された半分のＯＦＤＭシンボルで２つのＣＳＩ−ＲＳサブシンボルを伝送することができ、且つＣＳＩ−ＲＳを伝送するための半分のＯＦＤＭシンボルで、ＣＳＩ−ＲＳとＰＴＲＳが該半分のＯＦＤＭシンボルにおける異なるサブ搬送波を占有する。
【００８３】
また、例えば、アップリンク基準信号例えばＳＲＳとＤＭＲＳに対して、同様に上記方式で伝送することができ、図４（ｅ）に示すように、ＳＲＳとＤＭＲＳの伝送を行い、端末装置は現在のタイムスロットにおいて１５ｋＨｚのサブ搬送波間隔を用いてデータを伝送し、且つ該ＯＦＤＭシンボルでＴＤＭ方式を用いてＳＲＳとＤＭＲＳを伝送し、ここでＤＭＲＳが３０ｋＨｚのサブ搬送波間隔を用い、ＳＲＳが６０ｋＨｚの搬送波間隔を用い、ＳＲＳとＤＭＲＳがそれぞれ半分のＯＦＤＭシンボルを占有し、ＳＲＳに占有された半分のＯＦＤＭシンボルで２つのＳＲＳサブシンボルを伝送することができる。
【００８４】
上記の説明に基づき、２１０と２２０において端末装置とネットワーク装置は基準信号リソースを確定した後、該少なくとも一つの時間領域リソースユニットで基準信号の伝送を行うことができる。該基準信号がダウンリンク基準信号例えばチャネル状態情報基準信号（ＣＳＩ−ＲＳ）、セル特定基準信号（ＣＲＳ）と復調基準信号（ＤＭＲＳ）などである場合、２３０と２４０を実行し、該基準信号がアップリンク基準信号例えばサウンディング基準信号（ＳＲＳ）、アップリンクＤＭＲＳなどである場合、２５０と２６０を実行する。
【００８５】
２３０において、ネットワーク装置は少なくとも一つの時間領域リソースユニットで端末装置へ基準信号を送信する。
【００８６】
２４０において、端末装置は該少なくとも一つの時間領域リソースユニットで該基準信号を受信する。
【００８７】
２５０において、端末装置は該少なくとも一つの時間領域リソースユニットでネットワーク装置へ基準信号を送信する。
【００８８】
２６０において、ネットワーク装置は該少なくとも一つの時間領域リソースユニットで該基準信号を受信する。
【００８９】
したがって、本発明の実施例による基準信号の伝送方法では、基準信号を全て先頭の特定したＯＦＤＭシンボルで伝送することにより、基準信号をタイムリーに取得し、データ復調又はＣＳＩ測定の遅延を減らし、同時にレートマッチングリソースを示すための制御シグナリングオーバーヘッドとレートマッチングの複雑さを低減することができる。
【００９０】
図５は本発明の実施例による通信装置５００の概略ブロック図である。図５に示すように，該端末装置５００は確定ユニット５１０と伝送ユニット５２０を備える。
【００９１】
確定ユニット５１０は基準信号を伝送するための少なくとも一つの時間領域リソースユニットを確定するように構成される。
【００９２】
伝送ユニット５２０は前記確定ユニット５１０によって確定された前記少なくとも一つの時間領域リソースユニットで、前記基準信号を伝送するように構成される。
【００９３】
本発明の実施例では、基準信号を全て先頭の特定したＯＦＤＭシンボルで伝送することにより、基準信号をタイムリーに取得し、データ復調又はＣＳＩ測定の遅延を減らし、同時にレートマッチングリソースを示すための制御シグナリングオーバーヘッドとレートマッチングの複雑さを低減することができる。
【００９４】
選択可能に、前記少なくとも一つの時間領域リソースユニットは制御情報及び／又はデータを伝送することに用いられない。
【００９５】
選択可能に、前記通信装置が端末装置であり、前記伝送ユニット５２０はさらにネットワーク装置から送信された、上位層シグナリングに含まれるリソース情報、又はダウンリンク制御情報（ＤＣＩ）に含まれる前記リソース情報を受信するように構成され、ここで、前記リソース情報が前記少なくとも一つの時間領域リソースユニットの位置、及び／又は前記少なくとも一つの時間領域リソースユニットの数を含む。
【００９６】
選択可能に、前記通信装置がネットワーク装置であり、前記伝送ユニット５２０はさらに前記少なくとも一つの時間領域リソースユニットのリソース情報を確定した後、端末装置へ上位層シグナリングに含まれるリソース情報、又はＤＣＩに含まれる前記リソース情報を送信するように構成され、前記リソース情報が前記少なくとも一つの時間領域リソースユニットの位置、及び／又は前記少なくとも一つの時間領域リソースユニットの数を含む。
【００９７】
選択可能に、前記少なくとも一つの時間領域リソースユニットが属するタイムスロット又はサブフレームはさらに制御情報及び／又はデータを伝送することに用いられる。
【００９８】
選択可能に、前記確定ユニット５１０は具体的に前記制御情報を伝送するための時間領域リソースユニットの位置に基づき、前記少なくとも一つの時間領域リソースユニットの位置を確定するように構成される。
【００９９】
選択可能に、前記少なくとも一つの時間領域リソースユニットは前記制御情報を伝送するための時間領域リソースユニットの前に位置し、又は前記少なくとも一つの時間領域リソースユニットは前記データを伝送するための時間領域リソースユニットの前に位置し、又は前記少なくとも一つの時間領域リソースユニットは前記制御情報を伝送するための時間領域リソースユニットの後に位置し、且つ前記データを伝送するための時間領域リソースユニットの前に位置し、又は前記少なくとも一つの時間領域リソースユニットはそれが属する前記タイムスロット又は前記サブフレームの開始位置に位置する。
【０１００】
選択可能に、前記少なくとも一つの時間領域リソースユニットのそれぞれの長さは、前記データを伝送するためのサブ搬送波間隔に基づいて確定される。
【０１０１】
選択可能に、前記基準信号を伝送するためのサブ搬送波間隔は前記データを伝送するためのサブ搬送波間隔と異なる。
【０１０２】
選択可能に、前記少なくとも一つの時間領域リソースユニットは複数のタイプの基準信号を伝送することに用いられ、且つ異なるタイプの基準信号に対応する伝送パラメータが異なり、前記伝送パラメータが基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含む。
【０１０３】
選択可能に、前記時間領域リソースユニットは直交周波数分割多重（ＯＦＤＭ）シンボルである。
【０１０４】
選択可能に、前記基準信号はチャネル状態情報基準信号（ＣＳＩ−ＲＳ）、復調基準信号（ＤＭＲＳ）、サウンディング基準信号（ＳＲＳ）、位相追跡基準信号（ＰＴＳＲ）とビーム基準信号（ＢＲＳ）のうちの少なくとも一つである。
【０１０５】
注意すべきものとして、本発明の実施例では、伝送ユニット５２０は送受信機によって実現されてもよく、確定ユニット５１０はプロセッサによって実現されてもよい。図６に示すように、通信装置６００はプロセッサ６１０、送受信機６２０とメモリ６３０を備えることができる。ここで、送受信機６２０は受信機６２１と送信機６２２を含むことができ、メモリ６３０は基準信号を伝送するための少なくとも一つの時間領域リソースユニットのリソース情報などの関連情報を記憶することに用いられてもよく、またプロセッサ６１０で実行されるコードなどを記憶することに用いられてもよい。通信装置６００における各構成要素はバスシステム６６０を介して結合され、ここでバスシステム６６０がデータバス以外、電源バス、制御バスと状態信号バスなどを含む。
【０１０６】
ここで、プロセッサ６１０は基準信号を伝送するための少なくとも一つの時間領域リソースユニットを確定するように構成される。
【０１０７】
伝送ユニット６２０はプロセッサ６１０によって確定された前記少なくとも一つの時間領域リソースユニットで、前記基準信号を伝送するように構成される。
【０１０８】
このようにして、基準信号を全て先頭の特定したＯＦＤＭシンボルで伝送することにより、基準信号をタイムリーに取得し、データ復調又はＣＳＩ測定の遅延を減らし、同時にレートマッチングリソースを示すための制御シグナリングオーバーヘッドとレートマッチングの複雑さを低減することができる。
【０１０９】
選択可能に、前記少なくとも一つの時間領域リソースユニットは制御情報及び／又はデータを伝送することに用いられない。
【０１１０】
選択可能に、前記通信装置が端末装置であり、前記送受信機６２０はさらにネットワーク装置から送信された、上位層シグナリングに含まれるリソース情報、又はダウンリンク制御情報（ＤＣＩ）に含まれる前記リソース情報を受信するように構成され、ここで、前記リソース情報が前記少なくとも一つの時間領域リソースユニットの位置、及び／又は前記少なくとも一つの時間領域リソースユニットの数を含む。
【０１１１】
選択可能に、前記通信装置がネットワーク装置であり、前記送受信機６２０はさらに前記少なくとも一つの時間領域リソースユニットのリソース情報を確定した後、端末装置へ上位層シグナリングに含まれるリソース情報、又はＤＣＩに含まれる前記リソース情報を送信するように構成され、前記リソース情報が前記少なくとも一つの時間領域リソースユニットの位置、及び／又は前記少なくとも一つの時間領域リソースユニットの数を含む。
【０１１２】
選択可能に、前記少なくとも一つの時間領域リソースユニットが属するタイムスロット又はサブフレームはさらに制御情報及び／又はデータを伝送することに用いられる。
【０１１３】
選択可能に、前記プロセッサ６１０は具体的に前記制御情報を伝送するための時間領域リソースユニットの位置、及び／又は前記データを伝送するための時間領域リソースユニットの位置に基づき、前記少なくとも一つの時間領域リソースユニットの位置を確定するように構成される。
【０１１４】
選択可能に、前記少なくとも一つの時間領域リソースユニットは前記制御情報を伝送するための時間領域リソースユニットの前に位置し、又は前記少なくとも一つの時間領域リソースユニットは前記データを伝送するための時間領域リソースユニットの前に位置し、又は前記少なくとも一つの時間領域リソースユニットは前記制御情報を伝送するための時間領域リソースユニットの後に位置し、且つ前記データを伝送するための時間領域リソースユニットの前に位置し、又は前記少なくとも一つの時間領域リソースユニットはそれが属する前記タイムスロット又は前記サブフレームの開始位置に位置する。
【０１１５】
選択可能に、前記少なくとも一つの時間領域リソースユニットのそれぞれの長さは、前記データを伝送するためのサブ搬送波間隔に基づいて確定される。
【０１１６】
選択可能に、前記基準信号を伝送するためのサブ搬送波間隔は前記データを伝送するためのサブ搬送波間隔と異なる。
【０１１７】
選択可能に、前記少なくとも一つの時間領域リソースユニットは複数のタイプの基準信号を伝送することに用いられ、且つ異なるタイプの基準信号に対応する伝送パラメータが異なり、前記伝送パラメータが基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含む。
【０１１８】
選択可能に、前記時間領域リソースユニットは直交周波数分割多重（ＯＦＤＭ）シンボルである。
【０１１９】
選択可能に、前記基準信号はチャネル状態情報基準信号（ＣＳＩ−ＲＳ）、復調基準信号（ＤＭＲＳ）、サウンディング基準信号（ＳＲＳ）、位相追跡基準信号（ＰＴＳＲ）とビーム基準信号（ＢＲＳ）のうちの少なくとも一つである。
【０１２０】
図７は本発明の実施例によるシステムチップの概略構造図である。図７のシステムチップ７００は入力インタフェース７０１、出力インタフェース７０２、少なくとも一つのプロセッサ７０３、メモリ７０４を備え、前記入力インタフェース７０１、出力インタフェース７０２、前記プロセッサ７０３及びメモリ７０４がバス７０７を介して接続され、前記プロセッサ７０３が前記メモリ７０４でのコードを実行するように構成され、前記コードが実行される場合、前記プロセッサ７０３が図２〜図５における端末装置又はネットワーク装置によって実行される方法を実現することができる。前記バス７０７は接続方式の一つの例だけであり、本発明の実施例では、前記入力インタフェース７０１、出力インタフェース７０２、前記プロセッサ７０３及びメモリ７０４はさらに他の方式により接続されてもよく、ここで限定されない。
【０１２１】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１２２】
本発明の様々な実施例では、上記各プロセスの番号の大きさが実行順序を意味せず、各プロセスの実行順序はその機能と内部論理で確定されるべきであり、本発明の実施例の実施プロセスのいかなる限定を構成すべきではないと理解すべきである。
【０１２３】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特徴応用と設計制約条件に依存する。当業者は各特定の応用に対して異なる方法を用いて記述される機能を実現することが可能だが、但しこのような実現は本発明の範囲を超えると見なしてはならない。
【０１２４】
本出願が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０１２５】
分離部材として説明された前記ユニットは物理的に分離するものであってもよく又は物理的に分離するものでなくてもよく、ユニットとして表示された部材は物理的要素であってもよく又は物理的ユニットでなくてもよく、すなわち一つの箇所に位置してもよく、又は複数のネットワーク要素に分布してもよい。実際のニーズに応じてそのうちの一部又は全てのユニットを選択して本実施例の技術的解決策の目的を達成することができる。
【０１２６】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１２７】
前記機能はソフトウェア機能ユニットの形態で実現され且つ独立した製品として販売又は使用される時に、一つのコンピュータ読み取り可能な記憶媒体に格納されてもよい。このような理解に基づき、本発明の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された方法の全て又は部分のステップを実行させるためのいくつかの命令を含む、記憶媒体に記憶されてもよい。前記憶媒体はＵディスク、モバイルハードディスク、読み出し専用メモリ（ＲＯＭ）、ランダムアクセスメモリ（ＲＡＭ）、磁気ディスク又は光ディスク等のプログラムコードを記憶できる各種の媒体を含む。
【０１２８】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記特許請求の範囲によってに準拠するべきである。
【図１】
2020504484.tif 000003
【図２】
2020504484.tif 000004
【図３】
2020504484.tif 000005
【図４ａ】
2020504484.tif 000006
【図４ｂ】
2020504484.tif 000007
【図４ｃ】
2020504484.tif 000008
【図４ｄ】
2020504484.tif 000009
【図４ｅ】
2020504484.tif 000010
【図５】
2020504484.tif 000011
【図６】
2020504484.tif 000012
【図７】
2020504484.tif 000013
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
基準信号の伝送方法であって、
基準信号を伝送するための少なくとも一つの時間領域リソースユニットを確定することと、
前記少なくとも一つの時間領域リソースユニットで、前記基準信号を伝送することとを含む、前記基準信号の伝送方法。
【請求項２】
前記少なくとも一つの時間領域リソースユニットは制御情報及び／又はデータを伝送することに用いられないことを特徴とする
請求項１に記載の方法。
【請求項３】
前記方法が端末装置によって実行され、前記少なくとも一つの時間領域リソースユニットを確定することは、
前記端末装置がネットワーク装置から送信された、上位層シグナリングに含まれるリソース情報、又はダウンリンク制御情報（ＤＣＩ）に含まれるリソース情報を受信し、ここで、前記リソース情報が前記少なくとも一つの時間領域リソースユニットの位置、及び／又は前記少なくとも一つの時間領域リソースユニットの数を含むことと、
前記端末装置が前記リソース情報に基づいて、前記少なくとも一つの時間領域リソースユニットを確定することと、を含むことを特徴とする
請求項１又は２に記載の方法。
【請求項４】
前記方法がネットワーク装置によって実行され、前記少なくとも一つの時間領域リソースユニットを確定した後、前記方法はさらに、
前記ネットワーク装置が端末装置へ上位層シグナリングに含まれるリソース情報、又はＤＣＩに含まれる前記リソース情報を送信し、前記リソース情報が前記少なくとも一つの時間領域リソースユニットの位置、及び／又は前記少なくとも一つの時間領域リソースユニットの数を含むことを含むことを特徴とする
請求項１又は２に記載の方法。
【請求項５】
前記少なくとも一つの時間領域リソースユニットが属するタイムスロット又はサブフレームはさらに制御情報及び／又はデータを伝送することに用いられることを特徴とする
請求項１−４のいずれか一項に記載の方法。
【請求項６】
基準信号を伝送するための少なくとも一つの時間領域リソースユニットを確定することは、
前記制御情報を伝送するための時間領域リソースユニットの位置、及び／又は前記データを伝送するための時間領域リソースユニットの位置に基づき、前記少なくとも一つの時間領域リソースユニットの位置を確定することを含むことを特徴とする
請求項５に記載の方法。
【請求項７】
前記少なくとも一つの時間領域リソースユニットは前記制御情報を伝送するための時間領域リソースユニットの前に位置し、又は
前記少なくとも一つの時間領域リソースユニットは前記データを伝送するための時間領域リソースユニットの前に位置し、又は
前記少なくとも一つの時間領域リソースユニットは前記制御情報を伝送するための時間領域リソースユニットの後に位置し、且つ前記データを伝送するための時間領域リソースユニットの前に位置し、又は
前記少なくとも一つの時間領域リソースユニットはそれが属する前記タイムスロット又は前記サブフレームの開始位置に位置することを特徴とする
請求項５又は６に記載の方法。
【請求項８】
前記少なくとも一つの時間領域リソースユニットは複数のタイプの基準信号を伝送することに用いられ、且つ異なるタイプの基準信号に対応する伝送パラメータが異なり、前記伝送パラメータが
基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含むことを特徴とする
請求項１−７のいずれか一項に記載の方法。
【請求項９】
前記時間領域リソースユニットは直交周波数分割多重（ＯＦＤＭ）シンボルであることを特徴とする
請求項１−８のいずれか一項に記載の方法。
【請求項１０】
前記基準信号は、
チャネル状態情報基準信号（ＣＳＩ−ＲＳ）、復調基準信号（ＤＭＲＳ）、サウンディング基準信号（ＳＲＳ）、位相追跡基準信号（ＰＴＳＲ）とビーム基準信号（ＢＲＳ）のうちの少なくとも一つであることを特徴とする
請求項１−９のいずれか一項に記載の方法。
【請求項１１】
通信装置であって、
基準信号を伝送するための少なくとも一つの時間領域リソースユニットを確定するように構成される確定ユニットと、
前記確定ユニットによって確定された前記少なくとも一つの時間領域リソースユニットで、前記基準信号を伝送するように構成される伝送ユニットとを備える、前記通信装置。
【請求項１２】
前記少なくとも一つの時間領域リソースユニットは制御情報及び／又はデータを伝送することに用いられないことを特徴とする
請求項１１に記載の通信装置。
【請求項１３】
前記通信装置が端末装置であり、前記伝送ユニットはさらに、
ネットワーク装置から送信された、上位層シグナリングに含まれるリソース情報、又はダウンリンク制御情報（ＤＣＩ）に含まれる前記リソース情報を受信するように構成され、ここで、前記リソース情報が前記少なくとも一つの時間領域リソースユニットの位置、及び／又は前記少なくとも一つの時間領域リソースユニットの数を含むことを特徴とする
請求項１１又は１２に記載の通信装置。
【請求項１４】
前記通信装置がネットワーク装置であり、前記伝送ユニットはさらに、
前記少なくとも一つの時間領域リソースユニットを確定した後、端末装置へ上位層シグナリングに含まれるリソース情報、又はＤＣＩに含まれる前記リソース情報を送信するように構成され、前記リソース情報が前記少なくとも一つの時間領域リソースユニットの位置、及び／又は前記少なくとも一つの時間領域リソースユニットの数を含むことを特徴とする
請求項１１又は１２に記載の通信装置。
【請求項１５】
前記少なくとも一つの時間領域リソースユニットが属するタイムスロット又はサブフレームはさらに制御情報及び／又はデータを伝送することに用いられることを特徴とする
請求項１１−１４のいずれか一項に記載の通信装置。
【請求項１６】
前記測定ユニットは具体的に、
前記制御情報を伝送するための時間領域リソースユニットの位置、及び／又は前記データを伝送するための時間領域リソースユニットの位置に基づき、前記少なくとも一つの時間領域リソースユニットの位置を確定するように構成されることを特徴とする
請求項１５に記載の通信装置。
【請求項１７】
前記少なくとも一つの時間領域リソースユニットは前記制御情報を伝送するための時間領域リソースユニットの前に位置し、又は
前記少なくとも一つの時間領域リソースユニットは前記データを伝送するための時間領域リソースユニットの前に位置し、又は
前記少なくとも一つの時間領域リソースユニットは前記制御情報を伝送するための時間領域リソースユニットの後に位置し、且つ前記データを伝送するための時間領域リソースユニットの前に位置し、又は
前記少なくとも一つの時間領域リソースユニットはそれが属する前記タイムスロット又は前記サブフレームの開始位置に位置することを特徴とする
請求項１５又は１６に記載の通信装置。
【請求項１８】
前記少なくとも一つの時間領域リソースユニットは複数のタイプの基準信号を伝送することに用いられ、且つ異なるタイプの基準信号に対応する伝送パラメータが異なり、前記伝送パラメータが
基準信号を伝送するためのサブ搬送波間隔、基準信号を伝送するための伝送帯域幅、基準信号をプリコーディングするためのプリコーディング行列、及び基準信号に対してビームフォーミングを行うためのビームパラメータのうちの少なくとも一つを含むことを特徴とする
請求項１１−１７のいずれか一項に記載の通信装置。
【請求項１９】
前記時間領域リソースユニットは直交周波数分割多重（ＯＦＤＭ）シンボルであることを特徴とする
請求項１１−１８のいずれか一項に記載の通信装置。
【請求項２０】
前記基準信号は、チャネル状態情報基準信号（ＣＳＩ−ＲＳ）、復調基準信号（ＤＭＲＳ）、サウンディング基準信号（ＳＲＳ）、位相追跡基準信号（ＰＴＳＲ）とビーム基準信号（ＢＲＳ）のうちの少なくとも一つであることを特徴とする
請求項１１−１９のいずれか一項に記載の通信装置。
【国際調査報告】
2020504484.tif 000014
2020504484.tif 000015
2020504484.tif 000016
2020504484.tif 000017